【事件の表示】
　特願２００４−１０５７２７「内燃機関のノッキングを制御する装置及び内燃機関のノッキングを制御する方法」拒絶査定不服審判事件〔平成１７年　２月　３日出願公開、特開２００５−　３０３８４〕について、次のとおり審決する。
【結　論】
　本件審判の請求は、成り立たない。
【理　由】
［１］手続の経緯  
　本願は、平成１６年３月３１日（パリ条約による優先権主張外国庁受理２００３年７月７日、独国）の出願であって、平成２０年１１月１１日付けの拒絶理由通知に対して平成２１年３月１６日付けで意見書及び手続補正書が提出されたが、同年４月３日付けで拒絶査定がなされ、これに対し、同年８月３日に拒絶査定に対する審判請求がなされるとともに同時に特許請求の範囲を補正する手続補正がなされ、その後、当審において同年１２月１４日付けで書面による審尋がなされ、これに対し、平成２２年３月１６日付けで回答書が提出されたものである。 
　  
［２］平成２１年８月３日付けの特許請求の範囲を補正する手続補正についての補正却下の決定 
　 
〔補正却下の決定の結論〕 
　平成２１年８月３日付けの特許請求の範囲を補正する手続補正を却下する。 
　 
〔理由〕 
１．本件補正の内容及び目的 
（１）平成２１年８月３日付けの手続補正書による特許請求の範囲を補正する手続補正（以下、単に「本件補正」という。）は、本件補正により補正される前の（すなわち、平成２１年３月１６日付けの手続補正書により補正された）特許請求の範囲の下記のａ）に示す請求項１を、下記のｂ）に示す請求項１と補正するものを含んでいる。 
　 
ａ）本件補正前の特許請求の範囲の請求項１ 
「【請求項１】
　内燃機関におけるノッキング現象の際に点火角を遅角方向にシフトし、その後再び進角方向にシフトする、内燃機関のノッキングを制御する装置において、
　進角方向への点火角のシフトが可変の幅の段でもって段階的に行われ、該進角方向へのシフトが進むに連れ、該進角方向へのシフトの割合が低減されることを特徴とする、内燃機関のノッキングを制御する装置。」 
　 
ｂ）本件補正後の特許請求の範囲の請求項１ 
「【請求項１】
　内燃機関におけるノッキング現象の際に点火角を遅角方向にシフトし、その後再び進角方向にシフトする、内燃機関のノッキングを制御する装置において、
　進角方向への点火角のシフトが可変の幅の段でもって段階的に行われ、該進角方向へのシフトが進むに連れ、
段階的に
　 
（２）すなわち、本件補正は、特許請求の範囲に関して、補正後の請求項１については、本件補正前の請求項１における「進角方向への点火角のシフトが可変の幅の段でもって段階的に行われ、該進角方向へのシフトが進むに連れ、該進角方向へのシフトの割合が低減される」の記載を「進角方向への点火角のシフトが可変の幅の段でもって段階的に行われ、該進角方向へのシフトが進むに連れ、
段階的に
段階的に
　 
（３）そこで、本件補正により補正された請求項１に記載された事項により特定される発明（以下、単に「本願補正発明」という。）が、特許出願の際独立して特許を受けることができるものであるか否かについて、以下に検討する。 
　 
２．本件補正の適否についての判断 
（１）引用刊行物に記載された発明 
　原査定の拒絶の理由に引用された、本願の優先日前に頒布された刊行物である特開平８−４２４３６号公報（以下、「引用刊行物」という。）には、図面とともに、次のような事項が記載されている。 
　 
ア）「【請求項３】　所定時間且つ所定進角量毎に点火時期の進角制御を行うとともにノッキング発生時に一定の遅角量だけ点火時期の遅角制御を行い、再度所定時間且つ所定進角量毎に点火時期の進角制御を行うべく制御する制御手段を有する点火時期制御装置において、ノッキング発生時に点火時期を所定遅角量だけ遅角制御した後に所定時間且つ大なる第１進角量毎の進角増量制御が設定値だけ行われた際には前記第１進角量よりも小なる第２進角量に切り換える機能を前記制御手段に付加して設けたことを特徴とする点火時期制御装置。」（【特許請求の範囲】の【請求項３】） 
　 
イ）「【０００７】
【発明が解決しようとする課題】ところで、従来の点火時期制御装置においては、所定時間且つ所定進角量毎に点火時期の進角制御を行うとともに、ノッキングが発生した際に、所定時間且つ所定遅角量毎にノッキングが発生しなくなるまで点火時期の遅角制御を行い、ノッキングが発生しなくなった際には、再度所定時間且つ所定進角量毎に点火時期の進角制御を行うべく制御している。」（段落【０００７】） 
　
ウ）「【００１１】また、図１６（ａ）に示す如く、ノッキングが検出された点ａにて、所定量Ｒの遅角制御を１回のみ行い、この遅角制御後に、所定時間且つ所定進角量Ｓ毎に点火時期の進角制御を行うものがある。
【００１２】しかし、所定時間及び所定進角量が一定であることにより、遅角制御によって生じたトルク低下を回復させる動作が直線的なものとなり（図１６（ｂ）参照）、改善が望まれていた。」（段落【００１１】及び【００１２】） 
　 
エ）「【００１５】更に、所定時間且つ所定進角量毎に点火時期の進角制御を行うとともにノッキング発生時に一定の遅角量だけ点火時期の遅角制御を行い、再度所定時間且つ所定進角量毎に点火時期の進角制御を行うべく制御する制御手段を有する点火時期制御装置において、ノッキング発生時に点火時期を所定遅角量だけ遅角制御した後に所定時間且つ大なる第１進角量毎の進角増量制御が設定値だけ行われた際には前記第１進角量よりも小なる第２進角量に切り換える機能を前記制御手段に付加して設けたことを特徴とする。」（段落【００１５】） 
　
オ）「【００１８】更に、ノッキング発生時には、制御手段によって点火時期を所定遅角量だけ遅角制御し、この遅角制御をした後に所定時間且つ大なる第１進角量毎の進角増量制御が設定値だけ行われた際には、第１進角量よりも小なる第２進角量に切り換え、第１進角量によるトルクの早期回復と第２進角量によるトルクの確保とを行っている。」（段落【００１８】） 
　 
カ）「【００２０】図１〜図４はこの発明の第１実施例を示すものである。図２において、２はエンジン、４はシリンダブロック、６はシリンダヘッド、８はシリンダヘッドカバー、１０はピストン、１２は燃焼室、１４は吸気弁、１６は排気弁である。」（段落【００２０】）
　
キ）「【００３４】前記エンジン２は、・・・（略）・・・エンジン２のノッキングの発生を検出するノックセンサ１３６を設けている。
【００３５】・・・（略）・・・ノックセンサ１３６とを、点火時期制御装置１３８を構成する制御手段１４０に夫々接続する。
【００３６】この制御手段１４０に、点火機構１４２のディストリビュータ１４４及びイグニションコイル１４６を接続するとともに、・・・（略）・・・とを接続している。
【００３７】前記点火時期制御装置１３８の制御手段１４０には、エンジン２の運転状態の信号として、例えば、・・・（略）・・・ノックセンサ１３６の検出するノック信号、ディストリビュータ１４４やイグニションコイル１４６からの信号によるエンジン回転数等が入力される。」（段落【００３４】ないし【００３７】） 
　 
ク）「【００６６】図７〜図９はこの発明の第３実施例を示すものである。
【００６７】この第３実施例の特徴とするところは、ノッキング発生時に点火時期を所定遅角量だけ遅角制御した後に所定時間且つ大なる第１進角量毎の進角増量制御が設定値だけ行われた際には前記第１進角量よりも小なる第２進角量に切り換える機能を制御手段４００に付加して設けた点にある。
【００６８】すなわち、制御手段４００に、図９（ａ）に示す如く、点ａにおけるノッキング発生時に点火時期を所定遅角量Ｒだけ遅角制御した後に、大なる第１進角量Ｓ１毎の進角増量制御が所定時間あるいは所定回数から設定される設定値だけ行われた際には、前記第１進角量Ｓ１よりも小なる第２進角量Ｓ２に切り換える機能を付加するものである。
【００６９】実際には、後述する制御用フローチャートから明らかな如く、設定値は、カウンタの回数によって設定される。」（段落【００６６】ないし【００６９】） 
　
ケ）「【００７０】図８には点火時期制御装置１３８の構成を開示するが、上述第１実施例ものとは制御手段４００の符号のみが異なるので、詳細な説明は省略する。」（段落【００７０】） 
　 
コ）「【００７１】ここで、図７の制御用フローチャートに沿って作用を説明する。
【００７２】制御用プログラムがスタート（５００）すると、先ずノック判定、すなわちノッキングが発生しているか否かの判断（５０２）を行い、判断（５０２）がノックあり、つまりノッキングが発生している場合には、カウンタをリセット（５０４）するとともに、判断（５０２）がノックなし、つまりノッキングが発生していない場合には、カウンタに１を増加、つまり加算（５０６）する。
【００７３】また、前記カウンタのリセット処理（５０４）の後に、リタード量をＫＮＲ＝Ｒに設定（５０８）し、点火時期制御量の計算（５１０）を行う。この点火時期制御量の計算（５１０）は、式
ＫＮＫ＝ｋｎｋ−ＫＮＲ＋ＫＮＡ
ＫＮＫ：点火時期制御量
ｋｎｋ：１点火前の点火時期制御量
ＫＮＲ：リタード量
ＫＮＡ：進角量
によって点火時期制御量ＫＮＫを算出するものである。
【００７４】上述のカウンタに１を加算する処理（５０６）の後に、カウンタが３を越えているか否かの判断（５１２）を行い、判断（５１２）がＮＯの場合には、進角量をＫＮＡ＝Ｓ１に設定（５１４）して点火時期制御量ＫＮＫを算出処理（５１０）に移行させるとともに、判断（５１２）がＹＥＳの場合には、進角量をＫＮＡ＝Ｓ２に設定（５１６）して点火時期制御量ＫＮＫを算出処理（５１０）に移行させる。
【００７５】そして、点火時期制御量ＫＮＫを算出処理（５１０）の後には、進角量とリタード量とのリセット（５１８）を行い、上述のノック判定、すなわちノッキングが発生しているか否かの判断（５０２）にリターン（５２０）させる。」（段落【００７１】ないし【００７５】） 
　
サ）「【００７６】さすれば、ノッキング検出による点火時期の遅角制御後に、大なる第１進角量Ｓ１によって進角制御を行うことにより、トルクの回復を早期に行い得るものである。
【００７７】また、進角増量制御が設定値だけ行われた際には、第１進角量Ｓ１よりも小なる第２進角量Ｓ２に切り換えることにより、図９（ｂ）に実線で示す如く、ノッキング発生直前におけるトルクを長時間維持することができ、実用上有利である。」（段落【００７６】及び【００７７】） 
　 
シ）「【０１２０】更に、点火時期制御装置において、ノッキング発生時に点火時期を所定遅角量だけ遅角制御した後に所定時間且つ大なる第１進角量毎の進角増量制御が設定値だけ行われた際には前記第１進角量よりも小なる第２進角量に切り換える機能を制御手段に付加して設けたので、ノッキング検出による点火時期の遅角制御後に、大なる第１進角量によって進角制御を行うことにより、トルクの回復を早期に行い得るものである。また、進角増量制御が設定値だけ行われた際には、第１進角量よりも小なる第２進角量に切り換えることにより、ノッキング発生直前におけるトルクを長時間維持することができ、実用上有利である。」（段落【０１２０】）
　
ス）「【図面の簡単な説明】
・・・（略）・・・
【図７】この発明の第３実施例を示す点火時期制御装置の制御用フローチャートである。
【図８】点火時期制御装置の概略構成図である。
【図９】点火時期制御装置のタイムチャートを示し、（ａ）は点火時期のタイムチャート、（ｂ）は発生トルクのタイムチャートである。
・・・（略）・・・
【符号の説明】
２　エンジン
１３６　ノックセンサ
１３８　点火時期制御装置
１４０　制御手段」（【図面の簡単な説明】及び【符号の説明】） 
　
　上記ア）ないしス）及び図面（特に、図７ないし９）の記載を総合すると、引用刊行物には、次の発明（以下、単に「引用刊行物記載の発明」という。）が記載されているものと認められる。 
　
「エンジン２におけるノッキング発生時に点火時期を遅角制御し、その後再び進角制御を行う、エンジン２の点火時期制御装置１３８において、
　進角制御が可変の進角量ＫＮＡの段でもって段階的に行われ、該進角制御が進むに連れ、段階的に該進角制御の進角量ＫＮＡが第１進角量Ｓ１から該第１の進角量Ｓ１よりも小なる第２の進角量Ｓ２に切り換えられる、エンジン２の点火時期制御装置１３８。」 
　 
（２）対比 
　本願補正発明と引用刊行物記載の発明とを対比するに、引用刊行物記載の発明における「エンジン２」は、その技術的意義からみて、本願補正発明における「内燃機関」に相当し、以下同様に、「ノッキング発生時」は「ノッキング現象の際」に、「点火時期を遅角制御」は「点火角を遅角方向にシフト」に、「進角制御を行う」は「進角方向にシフトする」に、「点火時期制御装置１３８」は「ノッキングを制御する装置」に、「進角制御」は「進角方向への点火角のシフト」及び「進角方向へのシフト」に、「段階的に進角制御の進角量ＫＮＡが第１進角量Ｓ１から該第１の進角量Ｓ１よりも小なる第２の進角量Ｓ２に切り換えられる」は「段階的に進角方向へのシフトの割合が低減される」に、それぞれ相当する。 
　また、引用刊行物記載の発明における「進角制御が可変の進角量ＫＮＡの段でもって段階的に行われ」は、「進角方向への点火角のシフトが可変の段でもって段階的に行われ」という限りにおいて、本願補正発明における「進角方向への点火角のシフトが可変の幅の段でもって段階的に行われ」に相当する。
　 
　したがって、本願補正発明と引用刊行物記載の発明とは、 
「内燃機関におけるノッキング現象の際に点火角を遅角方向にシフトし、その後再び進角方向にシフトする、内燃機関のノッキングを制御する装置において、
　進角方向への点火角のシフトが可変の段でもって段階的に行われ、該進角方向へのシフトが進むに連れ、段階的に該進角方向へのシフトの割合が低減される、内燃機関のノッキングを制御する装置。」である点で一致し、次の点で相違している。 
　 
＜相違点＞ 
　「進角方向への点火角のシフトが可変の段でもって段階的に行われ」るに関して、本願補正発明においては、「進角方向への点火角のシフトが『可変の幅の段』でもって段階的に行われ」るのに対し、引用刊行物載の発明においては、「進角方向への点火角のシフトが『可変の進角量ＫＮＡの段』でもって段階的に行われ」るものである点（以下、単に「相違点」という。）。
　 
（３）当審の判断 
　上記＜相違点＞について検討する。 
　
　内燃機関のノッキングを制御する装置において、「点火角のシフトが『可変の幅の段』でもって段階的に行われること」は点火角のシフトパターンとしてそもそも周知の技術（例えば、引用刊行物（段落００５１ないし００６５、図５等）、特開２００１−８２２４２号公報（段落００２４及び００２５、図２等。）を参照。以下、単に「周知技術」という。）である。
　また、引用刊行物には、上記（１）ウ）において「図１６（ａ）に示す如く、ノッキングが検出された点ａにて、・・・遅角制御後に、
所定時間
所定時間
一定
直線的
改善が望まれていた
　そうすると、引用刊行物記載の発明において、かかる示唆を参酌しつつ、周知技術を適用することにより、上記相違点に係る本願補正発明の発明特定事項とすることは、当業者が容易になし得たものである。
　
　そして、本願補正発明を全体として検討しても、引用刊行物記載の発明及び周知技術から予測される以上の格別の効果を奏するとも認められない。  
　
（４）以上のように、本願補正発明は、引用刊行物記載の発明及び周知技術に基づいて、当業者が容易に発明をすることができたものであるから、特許法第２９条第２項の規定により、特許出願の際独立して特許を受けることができないものである。 
　 
３．むすび 
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項の規定により読み替えて準用する同法第５３条第１項の規定により却下されるべきものである。 
　 
　よって、結論のとおり決定する。 
　 
［３］本願発明について 
１．手続の経緯および本願発明 
　平成２１年８月３日付けの特許請求の範囲を補正する手続補正は前述したとおり却下されたので、本願の請求項１ないし７に係る発明は、平成２１年３月１６日付けの手続補正書により補正された特許請求の範囲並びに願書に最初に添付した明細書及び図面の記載からみて、平成２１年３月１６日付けの手続補正書により補正された特許請求の範囲の請求項１ないし７に記載された事項により特定されるものであり、そのうち請求項１に係る発明（以下、単に「本願発明」という。）は、前記［２］の〔理由〕１．（１）のａ）に記載したとおりのものである。 
　 
２．引用刊行物に記載された発明 
　引用刊行物（特開平８−４２４３６号公報）の記載事項及び引用刊行物記載の発明は、前記［２］の〔理由〕２．（１）に記載したとおりである。 
　 
３．対比・判断 
　本願発明は、前記［２］の〔理由〕１．（１）及び（２）で検討したように、実質的に、本願補正発明における発明特定事項の一部を省いたものに相当する。 
　そうすると、本願発明の発明特定事項を全て含む本願補正発明が、前記［２］の〔理由〕２．（１）ないし（３）に記載したとおり、引用刊行物記載の発明及び周知技術に基づいて、当業者が容易に発明をすることができたものであるから、本願発明も、同様の理由により、引用刊行物記載の発明及び上記周知の技術に基づいて当業者が容易に発明をすることができたものであるから、本願発明は、特許法第２９条第２項の規定により、特許を受けることができないものである。 
　 
４．むすび 
　以上のとおり、本願発明は、特許法第２９条第２項の規定により、特許を受けることができない。 
　 
　よって、結論のとおり審決する。